(57)【要約】    【課題】  ビルトインタイプのブラシレス回転検出器において、ロータコイルを機械的損傷から有効に保護することのできる、ブラシレス回転検出器を提供すること。    【解決手段】  ブラシレス回転検出器１０は、開放端部においてロータコイル１４を保護可能な保護板部１２が設けられていることを、主たる構成とする。保護板部１２はロータコイル１４の外径をほぼカバーする程度の外径を有するものとすることができる。かかる構成により、開放端部側からの取り扱う人の手等による不用意なロータコイル１４への接触が防止され、ロータコイル１４の機械的損傷の発生が防止される。【選択図】  図１
2008086179.tif 000002
【特許請求の範囲】
【請求項１】
開放端部においてロータコイルを保護可能な保護板部が設けられていることを特徴とする、ブラシレス回転検出器。
【請求項２】
前記保護板部は、ロータ上に設けられていることを特徴とする、請求項１に記載のブラシレス回転検出器。
【請求項３】
前記保護板部は軸の端部に設けられていることを特徴とする、請求項２に記載のブラシレス回転検出器。
【請求項４】
前記保護板部は前記軸に取り付け可能なブッシュに設けられていることを特徴とする、請求項２に記載のブラシレス回転検出器。
【請求項５】
前記回転検出器はビルトインタイプであることを特徴とする、請求項１ないし４のいずれかに記載のブラシレス回転検出器。
【請求項６】
前記回転検出器が、１相励磁／２相出力、２相励磁／１相出力、または２相励磁／２相出力のブラシレスレゾルバであることを特徴とする、請求項１ないし５のいずれかに記載のブラシレス回転検出器。
【発明の詳細な説明】
【技術分野】
【０００１】
本発明はブラシレス回転検出器に係り、特に、ビルトインタイプのものにおいて、ロータコイルを機械的損傷から保護することのできる、ブラシレス回転検出器に関する。
【背景技術】
【０００２】
図５は、従来のビルトインタイプのブラシレスレゾルバの構成を示す半断面図（ａ）、およびロータ側端面からの端面図（ｂ）である。図示するように、従来のビルトインタイプのブラシレスレゾルバ４０では、ロータコイル４４が露出している構造であった。
【０００３】
レゾルバのロータコイルの構造に関しては、本願出願人が既に特許取得した技術もある（特許文献１）。それは、従前のレゾルバではロータコイル用の樹脂コイルカバーを接着剤で固定していたために高速回転時に離脱する問題があったことを踏まえ、軸、ロータコアにそれぞれ係合可能な突起を設けることによって軸方向および回転方向の位置決め可能とし、もって接着剤を不要とした技術である。
【特許文献１】特許３２６１３５５「レゾルバロータコイル保護構造」
【発明の開示】
【発明が解決しようとする課題】
【０００４】
さて、図５に示した従来のビルトインタイプのブラシレスレゾルバは、上述の通りロータコイルが端面側で露出した構造であるため、使用時に誤ってロータコイルに機械的損傷を与えることがあり、それによる故障の発生が問題であった。本発明が解決しようとする課題は、かかる従来技術の問題点を除き、特にビルトインタイプのブラシレス回転検出器において、ロータコイルを機械的損傷から有効に保護することのできる、ブラシレス回転検出器を提供することである。
【課題を解決するための手段】
【０００５】
本願発明者は上記課題について検討した結果、回転検出器の開放端部に保護板部を設けることによって上記課題の解決が可能であることを見出し、本発明に至った。すなわち、上記課題を解決するための手段として本願で特許請求される発明、もしくは少なくとも開示される発明は、以下の通りである。
【０００６】
（１）  開放端部においてロータコイルを保護可能な保護板部が設けられていることを特徴とする、ブラシレス回転検出器。
（２）  前記保護板部は、ロータ上に設けられていることを特徴とする、（１）に記載のブラシレス回転検出器。
（３）  前記保護板部は軸の端部に設けられていることを特徴とする、（２）に記載のブラシレス回転検出器。
（４）  前記保護板部は前記軸に取り付け可能なブッシュに設けられていることを特徴とする、（２）に記載のブラシレス回転検出器。
（５）  前記回転検出器はビルトインタイプであることを特徴とする、（１）ないし（４）のいずれかに記載のブラシレス回転検出器。
（６）  前記回転検出器が、１相励磁／２相出力、２相励磁／１相出力、または２相励磁／２相出力のブラシレスレゾルバであることを特徴とする、（１）ないし（５）のいずれかに記載のブラシレス回転検出器。
【発明の効果】
【０００７】
本発明のブラシレス回転検出器は上述のように構成されるため、これによれば、特にビルトインタイプのものにおいて、ロータコイルを機械的損傷、その他の損傷から有効に保護することができる。
【発明を実施するための最良の形態】
【０００８】
以下、本発明を図面により詳細に説明する。
図１は、本発明のブラシレス回転検出器１０の構成を示す半断面図（ａ）および半断面図における右方からの端面図（ｂ）である。これらに図示されるように本発明のブラシレス回転検出器１０は、開放端部においてロータコイル１４を保護可能な保護板部１２が設けられていることを、主たる構成とする。本発明は、ビルトインタイプのブラシレスレゾルバ、ブラシレスシンクロにおいて適用することができる。
【０００９】
かかる構成により本ブラシレス回転検出器１０では、保護板部１２が、回転検出器１０の開放端部においてロータコイル１４を覆って保護するため、開放端部側からの、取り扱う人の手や道具等による不用意なロータコイル１４への接触が防止され、ロータコイル１４の機械的損傷その他の損傷の発生、およびそれによる回転検出器１０の故障の発生が有効に防止される。
【００１０】
図示するように、本発明の目的であるロータコイル１４の保護効果をより高いレベルで得るためには、保護板部１２はロータコイル１４の外径をほぼカバーする程度の外径を有するものとすることができる。しかしながら、保護板部１２の外径がそれより小さい場合であっても、取り扱う人の手や道具等のロータコイル１４側への進入や接触の可能性を低くすることは可能である。たとえば、保護板部１２がロータコイル１４をカバーする径が図示された構成の半分程度であったとしても、本発明が目的とする効果はある程度得ることができる。つまり、本発明は図示するものに限定されず、保護板部１２としてはその径が限定されるものでも、またロータコイル径との比率が限定されるものでもない。
【００１１】
図１に示すように、保護板部１２はロータ上に設けることができ、またそれが最も良い。しかしながら、ステータ側、たとえばケース１８から連設させるなど、ロータ上に設ける以外の構成も本発明から排除されない。
【００１２】
図２は、図１に示す本発明ブラシレス回転検出器のロータの構成を示す断面図である。図示するように、保護板部１２はロータ軸１７の端部に一体に設け、特に、図示するように保護板部１２がその一部をなすようにロータ軸１７を当初から形成するものとすることができる。
【００１３】
図３は、図１に示すものとは別の、本発明ブラシレス回転検出器のロータの構成を示す断面図である。図示するように、保護板部３２は、ロータ軸３７の端部に取り付け可能なブッシュ（３２）に、もしくはブッシュ（３２）として、設けてもよい。かかる構成にすれば、径サイズの異なるブッシュ３２を予め別途準備して、必要に応じて適宜の仕様のものをロータ軸１７に装着可能な構成とすることができ、便利である。
【００１４】
前掲図１の（ｂ）に示した通り、本発明に係る保護板部１２の平面形状は円形とすることができ、かつまた、それが、巻き線が略円形をなして巻回されてなるロータコイル１４を保護する上で、都合のよい形状である。しかしながら、本発明では、保護板部がかかる円形状に限定されるものではない。要するに、ロータコイルに対する損傷防止効果を期待できるカバー状の構造であれば、形状は円形状に限らず、略円形、楕円形、略楕円形、方形、略方形、その他適宜のものとすることができる。
【００１５】
また、本発明は、１相励磁／２相出力、２相励磁／１相出力、または２相励磁／２相出力方式のいずれのブラシレスレゾルバにも適用することができる。
なお図４は、本発明ブラシレス回転検出器の実施例であるブラシレスレゾルバの外観構成を示す正六面図である。
【産業上の利用可能性】
【００１６】
本発明のブラシレス回転検出器によれば、特にビルトインタイプのものにおいて、ロータコイルを機械的損傷から有効に保護することができ、利用価値が高い発明である。
【図面の簡単な説明】
【００１７】
【図１】本発明のブラシレス回転検出器１０の構成を示す半断面図（ａ）および半断面図における右方からの端面図（ｂ）である。
【図２】図１に示す本発明ブラシレス回転検出器のロータの構成を示す断面図である。
【図３】図１に示すものとは別の、本発明ブラシレス回転検出器のロータの構成を示す断面図である。
【図４】本発明ブラシレス回転検出器の実施例であるブラシレスレゾルバの外観構成を示す正六面図である。
【図５】従来のビルトインタイプのブラシレスレゾルバの構成を示す半断面図（ａ）、およびロータ側端面からの端面図（ｂ）である。
【符号の説明】
【００１８】
１０…ブラシレス回転検出器（ビルトインタイプ） 
１１…ステータトランス 
１２…保護板部
１３、３３…ロータトランス 
１４、３４…ロータコイル
１５…ステータ鉄心 
１６、３６…ロータ鉄心 
１７、３７…軸 
１８…ケース 
１９…入出力信号線 
３２…保護板部（ブッシュの一部として）
４０…ビルトインタイプのブラシレスレゾルバ、  ４１…ステータトランス、  ４３…ロータトランス、  ４４…ロータコイル、  ４５…ステータ鉄心、  ４６…ロータ鉄心、  ４７…軸、  ４８…ケース、  ４９…入出力信号線 
【図１】
2008086179.tif 000003
【図２】
2008086179.tif 000004
【図３】
2008086179.tif 000005
【図４】
2008086179.tif 000006
【図５】
2008086179.tif 000007